(57)【要約】【課題】従来よりも、省エネルギー化が可能な画像読取装置を提供する。【解決手段】画像読取装置９は、次のようなものを備えている。搬送される記録材Ｐの画像を読み取る画像読取部９２と、記録材Ｐが搬送される搬送路Ｒと画像読取部９２との間に配置されたコンタクトガラス９４と、コンタクトガラス９４の画像読取部９２とは反対側の表面に対向して配置される対向部材９３である。そして、対向部材９３として、カラー像を表示できるカラーディスプレイ９３０を用いている。【選択図】図２
2018148529.tif 000002
【特許請求の範囲】
【請求項１】
搬送される対象物の画像を読み取る読取手段と、前記対象物が搬送される搬送経路と前記読取手段との間に配置された透光部材と、該透光部材の前記読取手段とは反対側の表面に対向して配置される対向部材と、を備えた画像読取装置において、
前記対向部材は、カラー像を表示できる表示装置であることを特徴とする画像読取装置。
【請求項２】
請求項１に記載の画像読取装置において、
前記対向部材の位置を、前記読取手段の焦点距離方向に調整可能な位置調整装置を備えることを特徴とする画像読取装置。
【請求項３】
請求項１又は２に記載の画像読取装置において、
前記表示装置は、表示手段として有機ＥＬディスプレイを備えることを特徴とする画像読取装置。
【請求項４】
請求項１乃至３のいずれか一に記載の画像読取装置において、
前記表示装置に表示される像は、前記対象物の画像読取時の背景色として使用されることを特徴とする画像読取装置。
【請求項５】
請求項１乃至３のいずれか一に記載の画像読取装置において、
前記表示装置に表示される像は、当該画像読取装置のシェーディング補正用の白基準であることを特徴とする画像読取装置。
【請求項６】
請求項１乃至３のいずれか一に記載の画像読取装置において、
前記表示装置に表示される像は、当該画像読取装置のカラー補正用のカラーパッチであることを特徴とする画像読取装置。
【請求項７】
請求項１乃至３のいずれか一に記載の画像読取装置において、
前記表示装置に表示される像は、既知の位置で配置されたライン画像であることを特徴とする画像読取装置。
【請求項８】
請求項１乃至７のいずれか一に記載の画像読取装置において、
前記対向部材の位置を、前記読取手段の焦点距離方向に調整可能な位置調整装置を備え、
前記表示装置は、前記対象物の画像読取時には該対象物の画像面が焦点位置に来るように、当該画像読取装置の補正動作時には該表示装置の表示部が焦点位置に来るように前記位置調整装置によって調整されることを特徴とする画像読取装置。
【請求項９】
請求項１乃至８のいずれか一に記載の画像読取装置において、
当該画像読取装置の補正動作時には前記表示装置の表示部が発光することで、前記表示装置に表示した像を前記読取手段で読み取るための光源とすることを特徴とする画像読取装置。
【請求項１０】
画像形成手段と、該画像形成手段で形成された画像を対象物に転写する転写手段と、該対象物に転写された画像を定着する定着手段と、該定着手段で該対象物に定着された画像を読み取る画像読取手段と、を備えた画像形成装置において、
前記画像読取手段として、請求項１乃至９のいずれか一に記載の画像読取装置を備えることを特徴とする画像形成装置。
【発明の詳細な説明】
【技術分野】
【０００１】
本発明は、画像読取装置、及び画像形成装置に関するものである。
【背景技術】
【０００２】
従来から、搬送される対象物の画像を読み取る読取手段と、対象物が搬送される搬送経路と読取手段との間に配置された透光部材と、透光部材の読取手段とは反対側の表面に対向する基準面を有する対向部材と、を備えた画像読取装置が知られている。
【０００３】
例えば、特許文献１には、上記対向部材として、画像読取の基準として用いられる平面状の白基準面及び黒基準面を外周面に有する断面が８角形の多角柱形状の基準部材を回転可能に配置した画像読取装置が記載されている。この画像読取装置によれば、基準部材を回転させることにより、互いに異なる複数の基準面である白基準面と黒基準面とを切り替えて読取手段により読み取ることができるとされている。
【発明の概要】
【発明が解決しようとする課題】
【０００４】
近年、画像読取装置の省エネルギー化が望まれている。
しかしながら、従来の画像読取装置では、基準面を切り替える駆動源の電力消費により、省エネルギー化が困難な場合があった。
【課題を解決するための手段】
【０００５】
上述した課題を解決するために、請求項１に記載の発明は、搬送される対象物の画像を読み取る読取手段と、前記対象物が搬送される搬送経路と前記読取手段との間に配置された透光部材と、該透光部材の前記読取手段とは反対側の表面に対向して配置される対向部材と、を備えた画像読取装置において、前記対向部材がカラー像を表示できる表示装置であることを特徴とする。
【発明の効果】
【０００６】
本発明によれば、従来よりも、省エネルギー化が可能な画像読取装置を提供できる。
【図面の簡単な説明】
【０００７】
【図１】一実施形態に係る複合機の概略構成図。
【図２】画像読取装置の側面説明図。
【図３】通紙される記録材を読取るときのコンタクトガラス及びカラーディスプレイ近傍の拡大説明図。
【図４】カラーディスプレイの表示部に表示する像の例と、その具体的な用途の説明図。
【図５】カラーディスプレイの位置を調整する位置調整機構の例の説明図。
【発明を実施するための形態】
【０００８】
本発明を、電写真方式の画像形成装置であるカラー対応のＭＦＰ機（以下、複合機５００という）に有した定着後の用紙等の記録材の画像を読み取る画像読取装置９に適用した一実施形態について、図を用いて説明する。
図１は、一実施形態に係る複合機５００の概略構成図である。
【０００９】
まず、本実施形態の複合機５００の構成及び動作について説明する。この複合機５００は、図１に示すように、主に次のものから構成されている。画像形成装置本体である装置本体１００、装置本体１００の上部に取り付けられた原稿を読み取るスキャナー２００、及びスキャナー２００の後方上方に突出するように取り付けられた表示・操作部３００である。
【００１０】
スキャナー２００では、原稿照明用光源やミラーなどを搭載した第一走行体と、複数の反射ミラーを搭載した第二走行体とが往復移動するのにともなって、コンタクトガラス上に載置された原稿の読み取り走査が行われる。第二走行体から送り出される走査光は、結像レンズによってその後方に設置されている読み取りセンサの結像面に集光された後、読み取りセンサによって画像信号として読込まれる。
【００１１】
表示・操作部３００は、感圧式のタッチパネルを有した液晶パネルとスピーカを備えており、本体制御部により制御されて、操作画面や設定画面を表示し、各画面を表示しているときに、選択（入力）された情報を本体制御部に送信する。また、本体制御部の制御により、各部の動作状況や、利用者への用紙補給や、トナー補給、及び警告等の各メッセージや情報を液晶パネルに表示したり、スピーカから音声として発したりする。
【００１２】
装置本体１００内には、図１に示すように、画像形成ユニットとしての４つのプロセスユニット１Ｙ，Ｃ，Ｍ，Ｂｋを並べて配設したタンデム型の画像形成部を備える。各プロセスユニット１Ｙ，Ｃ，Ｍ，Ｂｋは、装置本体１００に着脱可能に構成され、カラー画像の色分解成分に対応するイエロー（Ｙ）、シアン（Ｃ）、マゼンタ（Ｍ）、ブラック（Ｂｋ）の異なる色のトナーを収容している以外は同様の構成となっている。
具体的には、各プロセスユニット１Ｙ，Ｃ，Ｍ，Ｂｋは、潜像担持体としてのドラム状の感光体２と、感光体２の表面を帯電させる帯電手段としての帯電ローラ３と、感光体２の表面にトナー像を形成する現像手段としての現像装置４を備えている。また、感光体２の表面を清掃するクリーニング手段としてのクリーニングブレード５も備えている。
なお、図１では、イエローのプロセスユニット１Ｙが備える感光体２、帯電ローラ３、現像装置４、クリーニングブレード５のみに符号を付しており、その他のプロセスユニット１Ｃ，Ｍ，Ｂｋにおいては符号を省略している。
【００１３】
各プロセスユニット１Ｙ，Ｃ，Ｍ，Ｂｋの上方には、感光体２の表面を露光する露光手段としての露光装置６が配設されている。露光装置６は、光源、ポリゴンミラー、ｆ−θレンズ、反射ミラー等を有し、パソコン等の外部機器やスキャナー２００から入力された画像データに基づいて各感光体２の表面へレーザ光を照射するようになっている。
また、各プロセスユニット１Ｙ，Ｃ，Ｍ，Ｂｋの下方には、転写装置７が配設されている。転写装置７は、転写体としての無端状のベルトから構成される中間転写ベルト１０を有している。中間転写ベルト１０は、複数の張架ローラ２１，２２，２３，２４に張架されており、これら張架ローラ２１，２２，２３，２４の内の１つが駆動ローラとして回転して、中間転写ベルト１０は図の矢印に示す方向に周回走行（回転）するように構成されている。
【００１４】
４つの感光体２に対向した位置に、一次転写手段としての４つの一次転写ローラ１１が配設されている。各一次転写ローラ１１は、それぞれの位置で中間転写ベルト１０の内周面を押圧しており、中間転写ベルト１０の押圧された部分と各感光体２とが接触する箇所に一次転写ニップが形成されている。各一次転写ローラ１１は、電源に接続されており、所定の直流電圧（ＤＣ）及び／又は交流電圧（ＡＣ）が一次転写ローラ１１に印加されるようになっている。
【００１５】
また、中間転写ベルト１０を張架する１つの張架ローラ２４に対向した位置に、二次転写手段としての二次転写ローラ１２が配設されている。この二次転写ローラ１２は中間転写ベルト１０の外周面を押圧しており、二次転写ローラ１２と中間転写ベルト１０とが接触する箇所に二次転写ニップが形成されている。二次転写ローラ１２は、一次転写ローラ１１と同様に、電源に接続されており、所定の直流電圧（ＤＣ）及び／又は交流電圧（ＡＣ）が二次転写ローラ１２に印加されるようになっている。
【００１６】
装置本体１００の下部には、紙やＯＨＰ等のシート状の対象物としての記録材Ｐを収容した複数の給紙カセット１３が配設されている。各給紙カセット１３には、収容されている記録材Ｐを送り出す給紙ローラ１４が設けてある。また、装置本体１００の図の左側の外面には、機外に排出された記録材Ｐをストックする排紙トレイ２０が設けてある。
【００１７】
装置本体１００内には、記録材Ｐを給紙カセット１３から二次転写ニップを通って排紙トレイ２０へ搬送するための搬送路Ｒが配設されている。この搬送路Ｒには、二次転写ローラ１２の位置よりも記録媒体搬送方向上流側にはレジストローラ１５が配設されている。また、二次転写ローラ１２の位置よりも記録材搬送方向下流側には、定着装置８、画像読取装置９、一対の排出ローラ１６が順次配設されている。
定着装置８は、例えば、内部にヒータを有する定着部材としての定着ローラ１７と、定着ローラ１７を加圧する加圧部材としての加圧ローラ１８を備えている。そして、定着ローラ１７と加圧ローラ１８とが接触した箇所には、定着ニップが形成される。
【００１８】
なお、本体制御部内には、ＣＰＵ（中央演算装置）、ＲＡＭ（ラム）、ＲＯＭ（ロム）、及び不揮発性メモリや各部のドライバー等を有している。そして、ＲＯＭや不揮発性メモリに記憶したプログラム等を、ＲＡＭにロードして、外部機器からの情報、各センサ等の検出結果、及び表示・操作部３００からの入力データに基づいて演算を行い、各部の制御部や各装置と通信して、その制御を行う。
【００１９】
以下、複合機５００が、複写機として動作する場合の基本的動作について説明する。
スキャナー２００のコンタクトガラス上に原稿が載置され、表示・操作部３００のコピーボタン（スタートボタン）がおされると、スキャナー２００により原稿の読み取りが開始される。これと同時に、各プロセスユニット１Ｙ，Ｃ，Ｍ，Ｂｋの感光体２が図の反時計回りに回転駆動され、帯電ローラ３によって各感光体２の表面が所定の極性に一様に帯電される。
【００２０】
そして、スキャナー２００で読み取られた原稿の画像情報に基づいて、露光装置６から帯電された各感光体２の表面にレーザ光が照射されて、各感光体２の表面に静電潜像が形成される。このとき、各感光体２に露光する画像情報は所望のフルカラー画像をイエロー、シアン、マゼンタ及びブラックの色情報に分解した単色の画像情報である。このように感光体２上に形成された静電潜像に、各現像装置４によってトナーが供給されることにより、静電潜像はトナー画像として顕像化（可視像化）される。
【００２１】
中間転写ベルト１０を張架する張架ローラの１つが回転駆動し、中間転写ベルト１０を図の矢印の方向に周回走行させる。また、各一次転写ローラ１１に、トナーの帯電極性と逆極性の定電圧又は定電流制御された電圧が印加されることによって、各一次転写ローラ１１と各感光体２との間の一次転写ニップにおいて転写電界が形成される。そして、各感光体２に形成された各色のトナー画像が、上記一次転写ニップにおいて形成された転写電界によって、中間転写ベルト１０上に順次重ね合わせて転写される。このようにして中間転写ベルト１０は、その表面にフルカラーのトナー画像を担持する。また、中間転写ベルト１０に転写しきれなかった各感光体２上のトナーは、クリーニングブレード５によって除去される。
【００２２】
給紙ローラ１４が回転することによって、給紙カセット１３から記録材Ｐが搬出される。搬出された記録材Ｐは、レジストローラ１５によってタイミングを計られて、二次転写ローラ１２と中間転写ベルト１０との間の二次転写ニップに送られる。このとき二次転写ローラ１２には、中間転写ベルト１０上のトナー画像のトナー帯電極性と逆極性の転写電圧が印加されており、これにより、二次転写ニップに転写電界が形成されている。そして、二次転写ニップに形成された転写電界によって、中間転写ベルト１０上のトナー画像が記録材Ｐ上に一括して転写される。
【００２３】
その後、記録材Ｐは定着装置８に送り込まれ、定着ローラ１７と加圧ローラ１８によって記録材Ｐが加圧及び加熱されてトナー画像が記録材Ｐ上に定着される。そして、記録材Ｐは、画像読取装置９によって形成された画像が読み取られた後、一対の排出ローラ１６によって排紙トレイ２０に排出される。なお、二次転写ニップで記録材Ｐ上に残ったトナー像は、張架ローラ２２に中間転写ベルト１０を介して対向するように設けられたベルトクリーニング装置により除去されて、次の画像形成（プリント）に備える。
【００２４】
以上の説明は、記録材Ｐ上にフルカラー画像を形成するときの画像形成動作である。しかし、本実施形態の複合機５００は、４つのプロセスユニット１Ｙ，Ｃ，Ｍ，Ｂｋのいずれか１つを使用して単色画像を形成したり、２つ又は３つのプロセスユニットを使用して、２色又は３色の画像を形成したりすることも可能である。
【００２５】
次に、本実施形態の複合機５００に備える、定着後の記録材Ｐ上の画像を読み取る画像読取装置９の構成について、図を用いて説明する。
図２は、図２は画像読取装置９の側面説明図であり、画像読取装置９の記録材Ｐの画像形成面の読取時の搬送パスを副走査断面で切った図である。
本実施形態の複合機５００に備える画像読取装置９は、図２に示すように、記録材Ｐを通紙する時のガイド板に相当するものと、シェーディング補正用の白板等に相当するものとを複数切り替える機構を備え、以下の特徴を有する。
【００２６】
要するに、コンタクトガラス９４の対向側に、任意の色や形状の像を表示できる対向部材９３として、カラー像を表示できるカラーディスプレイ９３０を配置し、基準板を複数切り替えるのではなくカラーディスプレイ９３０上に表示される像を切り替える。このように切り替えることで、様々な色や形状の画像が形成された記録材Ｐの画像読取、及び画像読取装置９のシェーディング補正、カラー補正、位置補正等の補正を行うことが特徴となっている。
また、画像読取装置９による記録材Ｐ上の画像の読み取りを適正焦点距離で行いつつ、記録材Ｐの搬送を妨げないように、記録材Ｐの厚みによって、カラーディスプレイ９３０とコンタクトガラス９４との距離は調整可能に設けられていることが特徴になっている。
【００２７】
図１に示すように、画像読取装置９は、定着装置８よりも記録材Ｐの搬送方向下流側に
設けられている。この画像読取装置９は、記録材Ｐ上に形成された画像を光学的に読み取
って、検査対象となる画像を表す画像データを生成する。この生成された画像データに基
づいて、複合機５００では形成する画像の補正処理を行う。このため、補正処理に応じて
対向部材９３の色や、対向部材９３と透光部材としてのコンタクトガラス９４との間のギ
ャップを変更することが望ましい。
【００２８】
画像読取装置９は、図２に示すように、照明光源９１と、画像読取部９２と、対向部材９３としてのカラーディスプレイ９３０と、コンタクトガラス９４と、支持部材９５とを備えている。
【００２９】
照明光源９１は、記録材Ｐが搬送されてきたときのその記録材Ｐの、画像が形成された画像形成面側に配置されている。そして、記録材Ｐの搬送路Ｒのうちの、記録材Ｐが画像読取装置９を通過する部分の搬送路上の、記録材Ｐから画像を読み取るための読取位置を照明する。
【００３０】
画像読取部９２は、３つの反射鏡９２１と、結像レンズ９２２と、イメージセンサ９２３とを備えている。３つの反射鏡９２１は、読取位置を通過する記録材Ｐの画像形成面からの反射光を、読取位置から結像レンズ９２２に導く。結像レンズ９２２は、３つの反射鏡９２１により導かれた記録材Ｐの画像形成面からの反射光をイメージセンサ９２３の位置に結像する。イメージセンサ９２３は撮像素子を有し、記録材Ｐの画像形成面に形成された画像を読み取る。また、イメージセンサ９２３は記録材Ｐ不存在の状態で、対向部材９３として機能するカラーディスプレイ９３０の表示部９３１を読み取る。そしてイメージセンサ９２３は、結像レンズ９２２により結像された光を受光し、その受光量に応じた画像データを生成する。
【００３１】
対向部材９３は、上述したようにカラーディスプレイ９３０であり、記録材Ｐが搬送されてきたときのその記録材Ｐの、画像形成面に対する裏面側に配置されている。これにより、コンタクトガラス９４とカラーディスプレイ９３０との間を通過する記録材Ｐの画像形成面はコンタクトガラス９４側であり図２図中上方向から読み取る。また、記録材Ｐが通過可能な間隙で、カラーディスプレイ９３０の表示部９３１に表示する像を切り替えて、コンタクトガラス９４に対向する所定の読取位置で表示する。
【００３２】
コンタクトガラス９４は、記録材Ｐが搬送されてきたときのその記録材Ｐの画像形成面に対面する位置に配置された光透過部材である。
【００３３】
支持部材９５は、照明光源９１および画像読取部９２の双方が固定された部材である。そして、記録材Ｐの搬送路Ｒのうちの、記録材Ｐが画像読取部９２を通過する部分経路が、搬送路Ｒの部分経路よりも上流の部分および下流の部分の双方から分離されて支持部材９５に支持されている。搬送路Ｒの部分経路よりも上流の部分および下流の部分には、搬送ローラ９６および搬送ローラ９７が配置されている。
【００３４】
そして、記録材Ｐの通紙を行うと、画像読取部９２はコンタクトガラス９４を通して、図中上方から画像形成面を読み取る。
図３は、通紙される記録材Ｐを読取るときのコンタクトガラス９４及びカラーディスプレイ９３０近傍の拡大説明図である。
カラーディスプレイ９３０の表示部９３１はコンタクトガラス９４に対向する位置に配置されており、通紙時に搬送される記録材Ｐが摺動し、コンタクトガラス９４の面で画像を読み取る。ここで、図３に示すコンタクトガラス９４の上部の構成は、図２に示した構成と同様であり、コンタクトガラス９４の面（下面）で記録材Ｐ上の画像を読み取る。
【００３５】
この記録材Ｐの画像読取時においては、記録材Ｐのバタつきを抑え、適正焦点距離で画像読取がなされるように、コンタクトガラス９４から適正焦点位置までの距離を短くし、記録材Ｐが通る隙間を狭くしている。このため、記録材Ｐが確実に搬送されるように、色切り替え可能で、かつ記録材Ｐの搬送ガイド部材を兼ねたカラーディスプレイ９３０を記録材Ｐの搬送に適した距離かつ記録材Ｐの画像面が適正焦点距離にくるように配置する。この時、記録材Ｐの厚みに応じてコンタクトガラス９４とカラーディスプレイ９３０との距離は図３図中矢印方向（画像読取部９２の焦点距離方向）に調整（設定）される。
【００３６】
また、カラーディスプレイ９３０には、コンタクトガラス９４と略平行に配置される表示部９３１の、記録材Ｐの搬送方向上流側及び下流側に曲げ部９３２を有している。この曲げ部９３２は、搬送される記録材Ｐがカラーディスプレイ９３０に支えることなく、その表示部９３１上に案内するため、記録材Ｐの搬送方向上流側及び下流側に向けて、コンタクトガラス９４から遠ざかるように傾斜して設けられている。
【００３７】
また、画像読取を行う対象物である記録材Ｐは白色や黒色、その他任意の色の画像が形成されており、その色に適した画像読取時の背景色になるようにカラーディスプレイ９３０に表示される色も設定される。
例えば、画像位置補正をする目的で記録材Ｐのエッジ部を読み取る場合は、記録材Ｐとの色差が大きく出るように背景色を設定する。記録材Ｐが白い場合には背景色を黒、記録材Ｐが黒い場合には背景色は白、といったように設定される。また、画像のカラーホーミングが目的で記録材Ｐ上の画像を読み取る場合は、画像の色味に影響を与えないように背景色を白、といったように設定される。
【００３８】
画像読取動作前や、記録材Ｐの搬送の合間には、カラーディスプレイ９３０は読取装置の各種補正動作を行うための像を表示する。この時、カラーディスプレイ９３０の表示部９３１の表面が適正焦点距離になるように配置される。
カラーディスプレイ９３０としては、パーソナルコンピュータ（ＰＣ）やテレビなどで使用される一般的なディスプレイでよい。しかし、有機ＥＬディスプレイを採用すれば、黒を表現したいときは表示ＯＦＦの設定で表現できる等のメリットがあり、消費電力の抑制に貢献できる。
【００３９】
次に、カラーディスプレイ９３０の表示手段である表示部９３１に表示する像の例、及びその具体的な用途について、図を用いて説明する。
図４は、カラーディスプレイ９３０の表示部９３１に表示する像の例と、その具体的な用途の説明図であり、図４（ａ）が表示部９３１の領域全体を背景色とした場合を示し、図４（ｂ）が表示部９３１の少なくとも１部を背景色とした場合を示している。また、図４（ｃ）が既知の間隔のライン画像を表示した場合を示している。
【００４０】
図４（ａ）に示すように、カラーディスプレイ９３０に像が表示可能な領域は表示部９３１表面の縁部を除く略全体の領域（以下、単に表示部９３１全域という。）である。
このように表示部９３１全域を用いる用途の一つには画像読取時の背景色９３３ａとして使用する場合が挙げられる。
記録材Ｐが白い場合はカラーディスプレイ９３０（表示部９３１）には黒い像が表示される。これは記録材Ｐの端部を精度良く読み取るためである。
逆に、記録材Ｐが黒い場合はカラーディスプレイ９３０上には白い像が投影される。これは記録材Ｐの端部を精度良く読み取り、搬送タイミングが適切かどうかを検出すること、又は記録材Ｐ端部から画像までの距離を読み取ることで、記録材Ｐへの画像位置や倍率を検出し、狙い値になっているかを判定する目的のためである。
【００４１】
また、背景色として表示される領域の大きさは、読み取る記録材Ｐの大きさによって、異なる構成であっても良い。
例えば、図４（ｂ）に示すように、カラーディスプレイ９３０上を搬送される記録材Ｐの端部の一定領域だけに背景色９３３ｂや背景色９３３ｃを表示することで、全域に表示するよりも消費電力の抑制に貢献できる。
また、記録材Ｐ上に形成された画像が部分的に異なる色（例えば半分が白色、もう半分が黒色等）の場合は、それぞれに応じて背景色を領域ごとに異なる色とすることも可能である。
また、シェーディング補正動作のための白基準板とする場合や、基準色パッチとして画像読取部９２（画像読取装置９）のカラー出力補正動作を行うときも同様である。
【００４２】
また、図４（ｃ）に示すように、カラーディスプレイ９３０の表示部９３１に既知の間隔のライン画像９３３ｄを表示し、画像読取部９２の倍率、レジストなどの位置補正を行う際に使用する。
これは、既知の間隔のラインを読み取り、画像読取部９２が実際に読み取った値との差分とを補正することで読取精度を高めるためである。
これにより、カラーディスプレイ９３０の表示部９３１に既知の間隔のライン画像９３３ｄを表示し、画像読取部９２の倍率の補正や、レジストなどの位置補正に利用して、画像読取装置９の読取精度を高めることができる。
また、いずれの像を表示するカラーディスプレイ９３０であっても、記録材Ｐの搬送ガイド部材としての機能も果たすため、上述したようにその両端には曲げ部９３２を有する形状としている。
【００４３】
上述したように本実施形態の画像読取装置９は、次のようなものを備えている。
搬送される記録材Ｐの画像を読み取る画像読取部９２と、記録材Ｐが搬送される搬送路Ｒと画像読取部９２との間に配置されたコンタクトガラス９４と、コンタクトガラス９４の画像読取部９２とは反対側の表面に対向して配置される対向部材９３である。そして、対向部材９３として、カラー像を表示できるカラーディスプレイ９３０を用いている。
【００４４】
このように画像読取装置９を構成することで、次のような効果を奏することができる。
従来の画像読取装置では、画像読取装置で読み取る基準面を切り替えるために、対向部材を回転駆動する等して基準面を切り替える駆動源が必要であった。このため、基準面を切り替える駆動源の電力消費により、省エネルギー化が困難な場合があった。
一方、本実施形態の画像読取装置９では、対向部材としてカラーディスプレイ９３０を用いるため、従来と比べて、カラーディスプレイ９３０に基準面を表示する電力しか消費しないため省エネルギー化も容易である。
よって、従来よりも、省エネルギー化が可能な画像読取装置９を提供できる。
【００４５】
また、従来の画像読取装置では、画像読取装置で読み取る基準面を切り替えるために、対向部材として多面体等を用いるとともに、基準面を切り替える構成の配置スペースにより、小型化も困難な場合もあった。
一方、本実施形態の画像読取装置９では、対向部材として、一般に板状の形状であるカラーディスプレイ９３０を用いるため、従来と比べて、基準面を切り替える構成の配置スペースを小型化することが容易である。
よって、従来よりも、小型化が可能な画像読取装置９を提供できる。
【００４６】
次に、記録材Ｐの搬送時のバタツキを抑制する目的で、カラーディスプレイ９３０の位置を記録材Ｐの厚さに応じて、画像読取部９２の焦点距離方向に調整する位置調整機構９４０について、図を用いて説明する。
図５は、カラーディスプレイ９３０の位置を調整する位置調整機構９４０の例の説明図である。
本実施形態の画像読取装置９には、カラーディスプレイ９３０の位置を記録材Ｐの厚さに応じて、画像読取部９２の焦点距離方向に調整（微調整）する位置調整機構９４０を備えている。
【００４７】
位置調整機構９４０の構成としては、例えば、図５に示すような構成が挙げられる。
図５に示す位置調整機構９４０は、カラーディスプレイ９３０のコンタクトガラス９４に対向する面の反対側（裏面側）に、１つのカム９４１と、２つのスプリング９４３を設けている。
カム９４１は、カラーディスプレイ９３０をコンタクトガラス９４側に向けて押圧するものであり、カラーディスプレイ９３０のコンタクトガラス９４に対向する面の反対側の記録材Ｐの搬送方向略中央に接するように設けられている。
各スプリング９４３は、カラーディスプレイ９３０をコンタクトガラス９４側から離間させる方向に付勢するものであり、カラーディスプレイ９３０のコンタクトガラス９４に対向する面の反対側の記録材Ｐの搬送方向端部近傍を付勢するように設けられている。
【００４８】
そして、カム軸９４２を中心に回転することで、２つのスプリング９４３の付勢力に抗してカラーディスプレイ９３０をコンタクトガラス９４側に向けて押圧して接近させたり、カラーディスプレイ９３０をコンタクトガラス９４側から離間させたりする。
これにより、図５図中、カラーディスプレイ９３０を上下動させ、カラーディスプレイ９３０の位置を記録材Ｐの厚さに応じて、画像読取部９２の焦点距離方向に調整する。
このように調整することで、記録材Ｐの搬送時のシワやバタツキにより、適正焦点距離で読み取りが行えなかったり、搬送詰まりを起こしたり記録材Ｐの長さを正確に読み取れないことを抑制することが可能となる。
【００４９】
但し、位置調整機構９４０は、上述したような構成に限定されるものではない。
例えば、スプリング９４３により、カラーディスプレイ９３０が常にカム９４１に押圧されている状態で、カム９４１の回転により、回転量やカムプロファイルに従った距離だけ、カラーディスプレイ９３０が画像読取部９２の焦点距離方向に動く構成であれば良い。
【００５０】
加えて、カラーディスプレイ９３０の位置を、画像読取部９２の焦点距離方向に調整可能な位置調整機構９４０は、カラーディスプレイ９３０の位置を次のように調整する。
記録材Ｐの画像読取時には記録材Ｐの画像面が焦点位置に来るように、画像読取装置９の補正動作時にはカラーディスプレイ９３０自体が焦点距離に来るように位置調整機構９４０によって調整する。
このように調整することで、次のような効果を奏することができる。
記録材Ｐの搬送時のシワやバタツキにより、適正焦点距離で読み取りが行えなかったり、搬送詰まりを起こしたり記録材Ｐの長さを正確に読み取れないことを抑制することが可能となるとともに、各種補正用の表示の読取精度も高めることができる。
【００５１】
また、画像読取装置９の補正動作時にはカラーディスプレイ９３０が発光することで、カラーディスプレイ９３０に表示した像を画像読取部９２で読み取るための光源とする。
このように構成することで、画像読取装置９の補正動作時、つまり、カラーディスプレイ９３０の表示を画像読取部９２で読み取るとき、画像読取部９２に有した照明光源９１を消灯することができ、消費電力の抑制に貢献できる。
【００５２】
そして、本実施形態の複合機５００は、定着後の記録材Ｐ上の画像を読み取る画像読取手段として、上述したいずれかの画像読取装置９の構成を備えることで、次のような効果を奏することができる。
画像読取装置９で読み取った記録材Ｐ上の画像の読取結果に基づいて、プロセスユニット１Ｙ，Ｃ，Ｍ，Ｂｋで形成する画像の補正を行うことにより、より高品質な画像形成が可能となる。
【００５３】
以上、本実施形態について、図面を参照しながら説明してきたが、具体的な構成は、上述した本実施形態の画像読取装置９を備えた構成に限られるものではなく、要旨を逸脱しない範囲の設計の変更等を行っても良い。
【００５４】
以上に説明したものは一例であり、次の態様毎に特有の効果を奏する。
（態様Ａ）
搬送される記録材Ｐなどの対象物の画像を読み取る画像読取部９２などの読取手段と、前記対象物が搬送される搬送路Ｒなどの搬送経路と前記読取手段との間に配置されたコンタクトガラス９４などの透光部材と、該透光部材の前記読取手段とは反対側の表面に対向して配置される対向部材９３などの対向部材と、を備えた画像読取装置９などの画像読取装置において、前記対向部材は、カラー像を表示できるカラーディスプレイ９３０などの表示装置であることを特徴とする。
【００５５】
これによれば、本実施形態で説明したように、次のような効果を奏することができる。
従来の画像読取装置では、画像読取装置で読み取る基準面を切り替えるために、対向部材を回転駆動する等して基準面を切り替える駆動源が必要であった。このため、基準面を切り替える駆動源の電力消費により、省エネルギー化が困難な場合があった。
一方、本（態様Ａ）では、対向部材として表示装置を用いるため、従来と比べて、表示装置に基準面を表示する電力しか消費しないため省エネルギー化も容易である。
よって、従来よりも、省エネルギー化が可能な画像読取装置を提供できる。
【００５６】
（態様Ｂ）
（態様Ａ）において、前記対向部材の位置を、前記読取手段の焦点距離方向に調整可能な位置調整機構９４０などの位置調整装置を備えることを特徴とする。
これによれば、本実施形態で説明したように、対象物の搬送時のシワやバタツキにより、適正焦点距離で読み取りが行えなかったり、搬送詰まりを起こしたり対象物の長さを正確に読み取れないことを抑制することが可能となる。
【００５７】
（態様Ｃ）
（態様Ａ）又は（態様Ｂ）において、前記表示装置は、表示手段として有機ＥＬディスプレイを備えることを特徴とする。
これによれば、本実施形態で説明したように、黒を表現したいときは表示ＯＦＦの設定で表現できる等のメリットがあり、消費電力の抑制に貢献できる。
【００５８】
（態様Ｄ）
（態様Ａ）乃至（態様Ｃ）のいずれかにおいて、前記表示装置に表示される像は、前記対象物の画像読取時の背景色として使用されることを特徴とする。
これによれば、本実施形態で説明したように、対象物の端部を精度良く読み取ることができる。
また、搬送タイミングが適切かどうかを検出すること、又は対象物端部から画像までの距離を読み取ることで、対象物への画像位置や倍率を検出し、狙い値になっているかを判定することができる。
【００５９】
（態様Ｅ）
（態様Ａ）乃至（態様Ｃ）のいずれかにおいて、前記表示装置に表示される像は、当該画像読取装置のシェーディング補正用の白基準であることを特徴とする。
これによれば、本実施形態で説明したように、次のような効果を奏することができる。
従来のように、基準板を複数切り替えるのではなく表示装置の表示部９３１などの表示部に表示する像をシェーディング補正用の白基準に切り替えるだけで、様々な色や形状の画像が形成された対象物の画像読取、及び画像読取装置のシェーディング補正が行える。
【００６０】
（態様Ｆ）
（態様Ａ）乃至（態様Ｃ）のいずれかにおいて、前記表示装置に表示される像は、当該画像読取装置のカラー補正用のカラーパッチであることを特徴とする。
これによれば、本実施形態で説明したように、次のような効果を奏することができる。
従来のように、基準板を複数切り替えるのではなく表示装置の表示部９３１などの表示部に表示する像をカラー補正用のカラーパッチに切り替えるだけで、様々な色や形状の画像が形成された対象物の画像読取、及び画像読取装置のカラー補正が行える。
【００６１】
（態様Ｇ）
（態様Ａ）乃至（態様Ｃ）のいずれかにおいて、前記表示装置に表示される像は、既知の位置で配置されたライン画像であることを特徴とする。
これによれば、本実施形態で説明したように、次のような効果を奏することができる。
表示装置の表示部９３１などの表示部に既知の間隔のライン画像９３３ｄなどのライン画像を表示し、読取手段の倍率の補正や、レジストなどの位置補正に利用して、画像読取装置の読取精度を高めることができる。
【００６２】
（態様Ｈ）
（態様Ａ）乃至（態様Ｇ）のいずれかにおいて、前記対向部材の位置を、前記読取手段の焦点距離方向に調整可能な位置調整機構９４０などの位置調整装置を備え、前記表示装置は、前記対象物の画像読取時には該対象物の画像面が焦点位置に来るように、当該画像読取装置の補正動作時には該表示装置の表示部９３１などの表示部が焦点位置に来るように前記位置調整装置によって調整されることを特徴とする。
これによれば、本実施形態で説明したように、次のような効果を奏することができる。
対象物の搬送時のシワやバタツキにより、適正焦点距離で読み取りが行えなかったり、搬送詰まりを起こしたり対象物の長さを正確に読み取れないことを抑制することが可能となるとともに、各種補正用の表示の読取精度も高めることができる。
【００６３】
（態様Ｉ）
（態様Ａ）乃至（態様Ｈ）のいずれかにおいて、当該画像読取装置の補正動作時には前記表示装置の表示部９３１などの表示部が発光することで、前記表示装置に表示した像を前記読取手段で読み取るための光源とすることを特徴とする。
これによれば、本実施形態で説明したように、次のような効果を奏することができる。
画像読取装置の補正動作時、つまり、表示装置の表示を読取手段で読み取るとき、読取手段に有した照明光源９１などの光源を消灯することができ、消費電力の抑制に貢献できる。
【００６４】
（態様Ｊ）
プロセスユニット１Ｙ，Ｃ，Ｍ，Ｂｋなどの画像形成手段と、該画像形成手段で形成された画像を記録材Ｐなどの対象物に転写する転写装置７などの転写手段と、該対象物に転写された画像を定着する定着装置８などの定着手段と、該定着手段で該対象物に定着された画像を読み取る画像読取手段と、を備えた画像形成装置において、前記画像読取手段として、（態様Ａ）乃至（態様Ｉ）のいずれかの画像読取装置９などの画像読取装置を備えることを特徴とする。
【００６５】
これによれば、本実施形態で説明したように、画像読取装置で読み取った対象物上の画像の読取結果に基づいて、画像形成手段で形成する画像の補正を行うことにより、より高品質な画像形成が可能となる。
【符号の説明】
【００６６】
１Ｙ，Ｃ，Ｍ，Ｂｋ  プロセスユニット
７    転写装置
８    定着装置
９    画像読取装置
９１    照明光源
９２    画像読取部
９３    対向部材
９４    コンタクトガラス
９５    支持部材
９６，９７  搬送ローラ対
１００    装置本体
２００    スキャナー
３００    表示・操作部
５００    複合機
９３０    カラーディスプレイ
９３１    表示部
９３２    曲げ部
９３３ａ  背景色（表示部９３１全域）
９３３ｂ，ｃ  背景色（表示部９３１の一部）
９３３ｄ  ライン画像
９４０    位置調整機構
９４１    カム
９４２    カム軸
９４３    スプリング
Ｐ    記録材
Ｒ    搬送路
【先行技術文献】
【特許文献】
【００６７】
【特許文献１】特開２０１０−１１４４９８号公報
【図１】
2018148529.tif 000003
【図２】
2018148529.tif 000004
【図３】
2018148529.tif 000005
【図４】
2018148529.tif 000006
【図５】
2018148529.tif 000007